【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
印刷データと設定情報とを含む印刷ジョブを用いて描画データを作成する情報処理装置であって、
前記設定情報を各描画データ作成手段用の装置用設定情報に変換する変換手段と、
前記印刷データと前記装置用設定情報を用いて描画データ作成制御手段に描画データの作成要求を出力する描画データ作成要求手段と、
前記描画データ作成要求手段から描画データの作成が要求された印刷ジョブを、複数の描画データ作成手段のそれぞれに対応づけられた記憶手段に記憶させる前記描画データ作成制御手段と、
前記描画データ作成制御手段から前記記憶手段に記憶された印刷ジョブを取得して描画データを作成する前記複数の描画データ作成手段と、
を有することを特徴とする情報処理装置。
【請求項２】
複数の前記描画データ作成要求手段を有し、
それぞれの前記描画データ作成要求手段は、他の前記描画データ作成要求手段とは独立に、前記描画データ作成制御手段に対し描画データの作成要求を出力する、
ことを特徴とする請求項１記載の情報処理装置。
【請求項３】
外部から印刷ジョブの描画データの作成要求があった場合に、印刷ジョブに専用の前記描画データ作成要求手段を生成する作成要求手段生成手段を有する、
ことを特徴とする請求項１又は２記載の情報処理装置。
【請求項４】
印刷装置に対し描画データを印刷させる印刷装置制御手段と、
外部から印刷ジョブの描画データの作成要求があった場合に、ページ数を記録する印刷ジョブ記録手段と、を有し、
前記描画データ作成要求手段は、前記描画データ作成制御手段に作成要求を出力することで印刷ジョブのページごとの作成終了通知を取得し、記録されたページ数の前記作成終了通知を取得した場合、１つの印刷ジョブの描画データが作成されたと判断し、
前記印刷装置制御手段に対し描画データの印刷を開始させる、
ことを特徴とする請求項１〜３いずれか１項記載の情報処理装置。
【請求項５】
印刷装置に対し描画データを印刷させる印刷装置制御手段と、
外部から印刷ジョブの描画データの作成要求があった場合に、印刷ジョブの受信順を記録する印刷ジョブ記録手段と、を有し、
前記描画データ作成要求手段は、前記描画データ作成制御手段に作成要求を出力することで印刷ジョブの作成終了通知を取得して、１つの印刷ジョブの描画データが作成されたと判断し、
前記印刷装置制御手段に対し印刷ジョブの受信順に描画データの印刷を開始させる、
ことを特徴とする請求項１〜３いずれか１項記載の情報処理装置。
【請求項６】
描画データが作成された印刷ジョブから順に前記印刷装置制御手段に対し描画データの印刷を開始させるか、又は、印刷ジョブの受信順に前記印刷装置制御手段に対し描画データの印刷を開始させるかの設定を受け付ける印刷順設定受け付け手段を有する、
ことを特徴とする請求項４又は５記載の情報処理装置。
【請求項７】
前記印刷順設定受け付け手段が、描画データが作成された印刷ジョブから順に描画データの印刷を開始させるという設定を受け付け、さらに同じ前記描画データ作成手段の印刷ジョブを連続して印刷するという設定を受け付けた場合、
第１の印刷ジョブの印刷が完了するまでに、第１の印刷ジョブの次に同じ前記描画データ作成手段が描画データを作成する第２の印刷ジョブの描画データの作成が完了する場合、別の描画データ作成手段が描画データの作成を終了させた場合でも、
前記描画データ作成要求手段は、前記印刷装置制御手段に対し、第１の印刷ジョブの印刷に続いて第２の印刷ジョブの描画データを印刷させる、
ことを特徴とする請求項６記載の情報処理装置。
【請求項８】
前記印刷順設定受け付け手段が、描画データが作成された印刷ジョブから順に描画データの印刷を開始させるという設定を受け付け、さらに強制的に同じ前記描画データ作成手段の印刷ジョブを連続して印刷するという設定を受け付けた場合、
第１の印刷ジョブの印刷が完了するまでに、第１の印刷ジョブの次に同じ前記描画データ作成手段が描画データを作成する第２の印刷ジョブの描画データの作成が完了しない場合でも、
前記描画データ作成要求手段は、前記印刷装置制御手段に対し、第１の印刷ジョブの印刷に続いて第２の印刷ジョブの描画データを印刷させる、
ことを特徴とする請求項７記載の情報処理装置。
【請求項９】
前記描画データ作成制御手段は、前記描画データ作成要求手段から出力された印刷ジョブを解析して該印刷ジョブから描画データを作成する前記描画データ作成手段を判断し、  判断した前記描画データ作成手段に対応づけられた前記記憶手段に印刷ジョブを記憶させ、
前記記憶手段に古くから記憶されている印刷ジョブから順に前記描画データ作成手段に描画データを作成させる、
ことを特徴とする請求項１〜８いずれか１項記載の情報処理装置。
【請求項１０】
前記描画データ作成手段は、前記印刷データの所定単位の記述を取得した場合に、該記述が指定する印刷設定情報を返すものであり、
前記描画データ作成制御手段は、前記描画データ作成手段に対し前記記憶手段に記憶された印刷ジョブの前記所定単位の前記記述を出力して前記印刷設定情報を取得し、前記印刷設定情報と前記記述が異なる場合に、前記記憶手段から印刷ジョブを削除する、
ことを特徴とする請求項１記載の情報処理装置。
【請求項１１】
複数の同じ前記描画データ作成手段と、
前記描画データ作成手段ごとに設けられた前記記憶手段と、を有し、
前記描画データ作成制御手段は、前記描画データ作成要求手段から描画データが作成要求された印刷ジョブを解析して描画データを作成する前記描画データ作成手段を判断し、
判断した前記描画データ作成手段が複数、存在する場合、該描画データ作成手段に対応づけられたそれぞれの前記記憶手段のうち、記憶している印刷ジョブが少ない前記記憶手段に印刷ジョブを割り当てて記憶させる、ことを特徴とする請求項９記載の情報処理装置。
【請求項１２】
印刷データと設定情報とを含む印刷ジョブを用いて描画データを作成する情報処理方法であって、
変換手段が、前記設定情報を各描画データ作成手段用の装置用設定情報に変換するステップと、
描画データ作成要求手段が、前記印刷データと前記装置用設定情報を用いて描画データ作成制御手段に描画データの作成要求を出力するステップと、
前記描画データ作成制御手段が、前記描画データ作成要求手段から描画データを作成要求された印刷ジョブを、複数の描画データ作成手段のそれぞれに対応づけられた記憶手段に記憶させるステップと、
複数の描画データ作成手段が、前記描画データ作成制御手段から前記記憶手段に記憶された印刷ジョブを取得して描画データを作成するステップと、
を有することを特徴とする情報処理方法。
【請求項１３】
印刷データと設定情報とを含む印刷ジョブを用いて描画データを作成する情報処理装置に、
前記設定情報を各描画データ作成手段用の装置用設定情報に変換する変換ステップと、
前記印刷データと前記装置用設定情報を用いて描画データ作成制御手段に描画データの作成要求を出力する描画データ作成要求ステップと、
前記描画データ作成要求ステップにより描画データを作成要求された印刷ジョブを、前記描画データ作成制御手段が、複数の描画データ作成手段のそれぞれに対応づけられた記憶手段に記憶させるステップと、
前記描画データ作成制御手段から前記記憶手段に記憶された印刷ジョブを取得して複数の描画データ作成手段にそれぞれ描画データを作成させるステップと、
を実行させるプログラム。
【請求項１４】
印刷データと設定情報とを含む印刷ジョブを用いて描画データを作成する情報処理装置に、
前記設定情報を各描画データ作成手段用の装置用設定情報に変換する変換ステップと、
前記印刷データと前記装置用設定情報を用いて描画データ作成制御手段に描画データの作成要求を出力する描画データ作成要求ステップと、
前記描画データ作成要求ステップにより描画データを作成要求された印刷ジョブを、前記描画データ作成制御手段が、複数の描画データ作成手段のそれぞれに対応づけられた記憶手段に記憶させるステップと、
前記描画データ作成制御手段から前記記憶手段に記憶された印刷ジョブを取得して複数の描画データ作成手段にそれぞれ出力するステップと、を実行させるプログラム。